(57)【要約】【課題】  普段は衣類やタオル等を掛ける通常のハンガーとして使え、洗濯した厚手のズボンやスカート等やフード付きの上着を干した時に、風通しを良くして乾燥効率を高め、乾きやすくしたり、ズボンやスカート等を掛けやすいハンガーを得るにある。【解決手段】  物干し竿やバー等にフック部材で掛け、上着やシャツ等の両肩を保持することができるハンガー部材を備えるハンガーにおいて、前記ハンガー部材にほぼ水平方向に回転もしくは回動自在に取付けた洗濯物や衣類、タオル等を保持することができるアーム部材とでアームハンガーを構成している。【選択図】  図１
2005034579.tif 000002
【特許請求の範囲】
【請求項１】
物干し竿やバー等にフック部材で掛け、上着やシャツ等の両肩を保持することができるハンガー部材を備えるハンガーにおいて、前記ハンガー部材にほぼ水平方向に回転もしくは回動自在に取付けた洗濯物や衣類、タオル等を保持することができるアーム部材とからなることを特徴とするアームハンガー。
【請求項２】
前記アーム部材に取り付けるか、もしくは一体形成したズボンやスカートを掛けることができるズボン掛けとからなることを特徴とする請求項１記載のアー厶ハンガー。
【請求項３】
物干し竿やバー等にフック部材で掛け、上着やシャツ等の両肩を保持することができるハンガー部材と、ズボンやスカート等を掛けることができるズボン掛け部材を備えるハンガーにおいて、前記ズボン掛け部材にほぼ水平方向に回転もしくは回動自在に取付けた洗濯物や衣類、タオル等を保持することができるアーム部材とからなることを特徴とするアームハンガー。
【請求項４】
前記ハンガー部材もしくは、前記アーム部材もしくは、その両方に取付けた洗濯物や衣類、タオル等を挟持して吊すことができるピンチとからなることを特徴とする請求項１、２、３記載のアームハンガー。
【請求項５】
前記アーム部材に設けた洗濯物や衣類、タオル等を引っかけて吊すことができるフックとからなることを特徴とする請求項１、２、３記載のアームハンガー。
【発明の詳細な説明】
【発明の詳細な説明】
【技術分野】
【０００１】  本発明は、洗濯物を広げ、風通しを良くして乾きやすくしたり、衣類、タオル等を掛けやすくすることができるアーム部材を備えたハンガーに関する。
【背景技術】
【０００２】  従来、フック部材とハンガー部材を備えた通常のハンガーの他に、洗濯物を広げて風通しを良くし、乾きやすくするハンガーとして、「収容時に小型化するため、軸受けによって９０度回転し、フック部材を引き込む為の空隙の付いたアー厶部材を持った本体部、及びこれと一体となった干し物の寸法によってピンチの位置を変えられるバーの構造。」がある（特許文献１参照）。また、「フック部材から任意数のアー厶を任意長に設け、その先端部を任意形状、及び任意角度に任意長で任意方向に曲げ引掛部を設けることを特徴とするもの。」がある（特許文献２参照）。【０００３】
【特許文献１】特願平１０−２５１７３７号公報
【０００４】
【特許文献２】特願２０００−１０７２７２号公報
【発明が解決しようとする課題】
【０００５】  従来、フック部材とハンガー部材を備えた通常のハンガーに、洗濯した厚手のズボンやスカート等や、フード付きの上着等を掛けて干した時に、洗濯物の風通しが悪く、乾きにくいという欠点があった。また、上記特許文献１・特許文献２のようにＧパンやジーンズスカート、ズボンやスカート等の厚手の洗濯物を干すときに風通を良くして乾燥効率を高めるハンガーがあるが、これは普段は通常のハンガーとして使えないという欠点があった。また、ズボン掛け部材を備えたハンガーに、ズボンやスカート等を掛けるときに、ズボン掛けがハンガーに固定されているので、掛けにくいという欠点があった。
【０００６】  本発明は以上のような従来の欠点に鑑み、普段は衣類やタオル等を掛ける通常のハンガーとして使え、洗濯した厚手のズボンやスカート等やフード付きの上着を干した時に、風通しを良くして乾燥効率を高め、乾きやすくしたり、ズボンやスカート等を掛けやすいハンガーを提供することを目的としている。
【０００７】  本発明の、前記ならびにそのほかの目的と新規な特徴は次の説明を添付図面と照らし合わせて読むと、より明らかになるであろう。
ただし、図面はもっぱら解説のためのものであって、本発明の技術範囲を限定するものではない。
【課題を解決するための手段】
【０００８】  上記目的を達成するために、請求項１記載の発明は、物干し竿やバー等にフック部材で掛け、上着やシャツ等の両肩を保持することができるハンガー部材を備えるハンガーにおいて、前記ハンガー部材にほぼ水平方向に回転もしくは回動自在に取付けた洗濯物や衣類、タオル等を保持することができるアーム部材とでアームハンガーを構成している。
【０００９】  請求項２記載の発明は、請求項１に係わる発明であり、前記アーム部材に取り付けるか、もしくは一体形成したズボンやスカートを掛けることができるズボン掛けとでアームハンガーを構成している。
【００１０】  請求項３記載の発明は、物干し竿やバー等にフック部材で掛け、上着やシャツ等の両肩を保持することができるハンガー部材と、ズボンやスカート等を掛けることができるズボン掛け部材を備えるハンガーにおいて、前記ズボン掛け部材にほぼ水平方向に回転もしくは回動自在に取付けた洗濯物や衣類、タオル等を保持することができるアーム部材とでアームハンガーを構成している。
【００１１】  請求項４記載の発明は、請求項１、２、３に係わる発明であり、前記ハンガー部材もしくは、前記アーム部材もしくは、その両方に取付けた洗濯物や衣類、タオル等を挟持して吊すことができるピンチとでアームハンガーを構成している。
【００１２】  請求項５記載の発明は、請求項１、２、３に係わる発明であり、前記アーム部材に設けた洗濯物や衣類、タオル等を引っかけて吊すことができるフックとでアー厶ハンガーを構成している。
【発明を実施するための最良の形態】
【００１３】  以下、図面に示す実施の形態により、本発明を詳細に説明する。【００１４】  図１ないし図６に示す本発明の第１の実施形態において、１は物干し竿等に掛けることができるフック部材で、そのフック部材１の軸部１ａは、ハンガー部材２の中央部と、そのハンガー部材２の下側に位置するアーム部材３の中央部を貫通しており、前記軸部１ａの先端には、前記アー厶部材３が抜け落ちないように留め具１ｂが取付けられている。【００１５】  前記アーム部材３は、前記軸部１ａを中心に水平方向に回転もしくは回動ができる。【００１６】  前記ハンガー部材２の下側には、結合具としての突起７が設けられており、前記アーム部材３の上側には、前記突起７と噛み合って、前記ハンガー部材２と一時結合するための窪み８が設けられている。【００１７】  上記構成のアームハンガー４Ａを使用する場合、物干し竿やバー等にフック部材１を掛け、ハンガー部材２に洗濯したズボンやスカート等５の胴回り部５ａを掛ける。次に、アーム部材３を回転もしくは回動させて、それにズボンやスカート等５の胴回り部５ａを広げて掛ける。【００１８】  したがって、洗濯したズボンやスカート等５の胴回り部５ａを広げることができるので、風通しが良くなり、乾燥効率が向上して早く乾く効果がある。【００１９】  また、上着やシャツ等をハンガー部材２に掛けて、その上着やシャツ等の内側でアーム部材３を回転もしくは回動させ、胸囲の部分を広げることができるので、上着やシャツ等の内側の風通しが良くなり、乾燥効率が向上して早く乾く効果がある。【００２０】  また、フード付きの上着をハンガー部材２に掛けて、アーム部材３を回転もしくは回動させ、フードをそのアーム部材３に掛けることにより、フードを広げることができるので、フード周辺の風通しが良くなり、乾燥効率が向上して早く乾く効果がある。【００２１】  アーム部材３を使用しないときは、ハンガー部材２の下側に、そのハンガー部材２と平行に収容でき、結合具としての突起７と窪み８の噛み合わせにより両者を一時結合できるので、通常のハンガーとして使用できる。
【発明の異なる実施の形態】
【００２２】  次に、図７ないし図２９に示す本発明の異なる実施の形態について説明する。なお、これらの本発明の異なる実施の形態の説明に当たって、前記本発明の第１の実施の形態と同一構成部分には同一符号を付して重複する説明を省略する。
【００２３】  図７ないし図１０に示す本発明の第２の実施形態において、前記本発明の第１の実施の形態と主に異なる点は、前記ハンガー部材２の下側中央部に下垂して設けた軸１ｃが前記アーム部材３を貫通している点と、前記軸部１ｃの先端に前記アーム部材３が抜け落ちないように留め具１ｂが取付けられている点と、前記アーム部材３は、前記軸部１ｃを中心に水平方向に回転もしくは回動ができる点と、前記ハンガー部材２と、前記アーム部材３の下側に衣類やタオル等を挟持することができるピンチ６、６、６、６を取付けた点で、このように構成したアームハンガー４Ｂは、ピンチ６、６、６、６により洗濯したズボンやスカート等５の胴回り部５ａを広げて挟持し吊せる他、洗濯物や衣類、タオル等も挟持して吊すことができるので、干す作業が簡単で時間を短縮できる効果とともに、前記本発明の第１の実施の形態と同様な作用効果が得られる。
【００２４】  図１１ないし図１５に示す本発明の第３の実施形態において、前記本発明の第１の実施の形態と主に異なる点は、前記軸部１ａが、前記ハンガー部材２の下側に位置するアーム部材３ａ、アーム部材３ｂの片端部を貫通している点で、アーム部材３ａ、アーム部材３ｂは前記軸部１ａを中心に水平方向に回転もしくは回動ができる。
【００２５】  また、アーム部材３ａ、アーム部材３ｂに洗濯物や衣類、タオル等を引っかけて吊すことができるフック１１を設けた点で、このように構成したアームハンガー４Ｃは、前記アーム部材３ａ、アーム部材３ｂが別々に回転もしくは回動できるので、洗濯物等に合わせてどちらか片方のみでも使用できるので、余分なスペースを使わなくてすみ、コンパクトに使用できる効果と、洗濯物や衣類、タオル等をフック１１に引っかけて吊すことができるので、その作業が簡単であるとともに、前記本発明の第１の実施の形態と同様な作用効果が得られる。
【００２６】  図１６ないし図２０に示す本発明の第４の実施形態において、前記本発明の第１の実施の形態と主に異なる点は、ハンガー部材２の片側面に設けたリブ２ａ、２ａの間にアーム部材３ｄの片端を差し込んで、それらに枢支軸２ｃを貫通させアーム部材３ｄを水平方向に回動自在にした点と、ハンガー部材２のもう片側面に設けたリブ２ｂ、２ｂの間にアーム部材３ｃの片端を差し込んで、それらに枢支軸２ｄを貫通させアーム部材３ｃを水平方向に回動自在にした点と、前記ハンガー部材２と、前記アーム部材３の下側に衣類やタオル等を挟持することができるピンチ６、６、６、６を取付けた点で、このように構成したアームハンガー４Ｄは、前記アーム部材３ｃと前記アーム部材３ｄが別々に回動できるので、洗濯物等に合わせてどちらか片方のみでも使用でき、余分なスペースを使わなくてすむので、コンパクトに使用できる効果と、ピンチ６、６、６、６により洗濯したズボンやスカート等５の胴回り部５ａを広げて挟持し吊せる他、洗濯物や衣類、タオル等も挟持して吊すことができるので、干す作業が簡単で時間を短縮できる効果とともに、前記本発明の第１の実施の形態と同様な作用効果が得られる。
【００２７】  図２１ないし図２３に示す本発明の第５の実施形態において、前記本発明の第１の実施の形態と主に異なる点は、軸部１ａが、ハンガー部材２の下側に位置するアーム部材３ｅを貫通しており、前記アーム部材３ｅは、前記軸部１ａを中心に水平方向に回転もしくは回動ができる点と、前記アーム部材３ｅの下側にはズボンやスカート等を掛けることができるズボン掛け１０が一体形成されている点で、このように構成したアームハンガー４Ｅは、前記アーム部材３ｅと一体となったズボン掛け１０を作業しやすい角度まで回転もしくは回動して、ズボンやスカート等を掛け易くできる効果があるとともに、前記本発明の第１の実施の形態と同様な作用効果が得られる。
【００２８】  図２４ないし図２６に示す本発明の第６の実施形態において、前記本発明の第１の実施の形態と主に異なる点は、ハンガー部材２の内側を空洞にした切り欠き９を設け、その中にアーム部材３を入れて前記軸部１ａを中心に水平方向に回転もしくは回動ができるようにした点で、このように構成したアームハンガー４Ｆは、通常のハンガーとして使用するときにアーム部材３をハンガー部材２の内側に収容できるので、外観に違和感がないとともに、前記本発明の第１の実施の形態と同様な作用効果が得られる。
【００２９】  図２７ないし図２９に示す本発明の第７の実施形態において、前記本発明の第１の実施の形態と主に異なる点は、ハンガー部材２の下に設けたズボン掛け部材１２に軸部１ｃを下垂して設け、その軸部１ｃがアーム部材３を貫通している点と、前記軸部１ｃの先端に前記アーム部材３が抜け落ちないように留め具１ｂが取付けられている点と、前記アーム部材３は、前記軸部１ｃを中心に水平方向に回転もしくは回動ができる点で、このように構成したアームハンガー４Ｇも、前記本発明の第１の実施の形態と同様な作用効果が得られる。
【発明の効果】
【００３０】  以上の説明から明らかなように、本発明にあたっては次に列挙する効果が得られる。
【００３１】（１）請求項１記載の発明は、物干し竿やバー等にフック部材で掛け、上着やシャツ等の両肩を保持することができるハンガー部材を備えるハンガーにおいて、前記ハンガー部材にほぼ水平方向に回転もしくは回動自在に取付けた洗濯物や衣類、タオル等を保持することができるアーム部材とで構成されているので、ハンガー部材とアーム部材により、洗濯したズボンやスカート等の胴回り部を広げて保持することができるので、風通しが良くなり、乾燥効率が向上して早く乾く効果がある。
【００３２】（２）前記（１）によって、上着やシャツ等をハンガー部材に掛けて、上着やシャツ等の内側でアーム部材を回転もしくは回動させると、胸囲の部分を広げることができるので、上着やシャツ等の内側の風通しが良くなり、乾燥効率が向上して早く乾く効果がある。
【００３３】（３）前記（１）によって、フード付きの上着をハンガー部材に掛けて、アーム部材を回転もしくは回動させ、フードをそのアーム部材に掛けることにより、フードを広げることができるので、フード周辺の風通しが良くなり、乾燥効率が向上して早く乾く効果がある。
【００３４】（４）前記（１）によって、アーム部材を使用しないときは、ハンガー部材と平行にコンパクトに収容し一時結合ができるので、通常のハンガーとして使用できる効果がある。
【００３５】（５）前記（１）によって、アーム部材を使用しないときは、そのアーム部材がハンガー部材の中に収まるので、外観に違和感がなく使用できる効果がある。
【００３６】（６）前記（１）によって、複数のアーム部材のうち、洗濯物等に合わせて必要なアーム部材のみ使用できるので、余分なスペースを使わなくてすみ、コンパクトに使用できる効果がある。
【００３７】（７）請求項２記載の発明は、請求項１に係わる発明であり、前記アーム部材に取り付けるか、もしくは一体形成したズボンやスカートを掛けることができるズボン掛けとで構成されているので、前記（１）〜（４）と同様の効果が得られるとともに、アーム部材に取り付けるか、一体形成したズボン掛により、ズボンやスカート等を掛けることができるとともに、ズボン掛けを作業しやすい角度まで回転もしくは回動して、ズボンやスカート等を掛け易くできる効果がある。
【００３８】（８）請求項３記載の発明は、物干し竿やバー等にフック部材で掛け、上着やシャツ等の両肩を保持することができるハンガー部材と、ズボンやスカート等を掛けることができるズボン掛け部材を備えるハンガーにおいて、前記ズボン掛け部材にほぼ水平方向に回転もしくは回動自在に取付けた洗濯物や衣類、タオル等を保持することができるアーム部材とで構成されているので、前記（１）〜（４）と同様の効果が得られる。
【００３９】（９）請求項４記載の発明は、請求項１、２、３に係わる発明であり、前記ハンガー部材もしくは、前記アーム部材もしくは、その両方に取付けた洗濯物や衣類、タオル等を挟持して吊すことができるピンチとで構成されているので、前記（１）〜（７）と同様の効果が得られるとともに、ピンチによりズボンやスカート等の他、洗濯物や衣類、タオル等も挟持して吊すことができるので、干す作業が簡単で時間を短縮できる効果がある。
【００４０】（１０）上記（９）により、ピンチの数を多くできるので、洗濯物や衣類、タオル等を通常のハンガーより多く吊すことができる。
【００４１】（１１）請求項５記載の発明は、請求項１、２、３に係わる発明であり、前記アーム部材に設けた洗濯物や衣類、タオル等を引っかけて吊すことができるフックとで構成されているので、前記（１）〜（７）と同様の効果が得られるとともに、フックにより洗濯物や衣類、タオル等引っかけて吊すことができるので、干す作業が簡単で時間を短縮できる効果がある。
【図面の簡単な説明】
【図１】本発明の、第１の実施の形態の正面図。
【図２】図１のＡ−Ａ線に沿う平面図。
【図３】図１のＢ−Ｂ線に沿う断面図。
【図４】本発明の、第１の実施の形態の使用状態の正面図。
【図５】図４のＣ−Ｃ線に沿う平面図。
【図６】本発明の、第１の実施の形態の使用状態の斜視図。
【図７】本発明の、第２の実施の形態の正面図。
【図８】図７のＤ−Ｄ線に沿う平面図。
【図９】図７のＥ−Ｅ線に沿う断面図。
【図１０】本発明の、第２の実施の形態の使用状態の斜視図。
【図１１】本発明の、第３の実施の形態の正面図。
【図１２】図１１のＦ−Ｆ線に沿う平面図。
【図１３】図１１のＧ−Ｇ線に沿う断面図。
【図１４】本発明の、第３の実施の形態の使用状態の正面図。
【図１５】図１４のＨ−Ｈ線に沿う平面図。
【図１６】本発明の、第４の実施の形態の正面図。
【図１７】図１６のＩ−Ｉ線に沿う平面図。
【図１８】図１６のＪ−Ｊ線に沿う断面図。
【図１９】本発明の、第４の実施の形態の使用状態の正面図。
【図２０】図１９のＫ−Ｋ線に沿う平面図。
【図２１】本発明の、第５の実施の形態の正面図。
【図２２】図２１のＬ−Ｌ線に沿う平面図。
【図２３】図２１のＭ−Ｍ線に沿う断面図。
【図２４】本発明の、第６の実施の形態の正面図。
【図２５】図２４のＮ−Ｎ線に沿う平面図。
【図２６】図２４のＯ−Ｏ線に沿う断面図。
【図２７】本発明の、第７の実施の形態の正面図。
【図２８】図２７のＰ−Ｐ線に沿う平面図。
【図２９】図２７のＱ−Ｑ線に沿う断面図。
【符号の説明】
１：フック部材
１ａ、１ｃ：軸部
１ｂ：留め具
２：ハンガー部材
２ａ、２ｂ：リブ
２ｃ、２ｄ：枢支軸
３、３ａ、３ｂ、３ｃ、３ｄ、３ｅ：アーム部材
４Ａ、４Ｂ、４Ｃ、４Ｄ、４Ｅ、４Ｆ、４Ｇ：アームハンガー
５：ズボンやスカート等
５ａ：胴回り部
６：ピンチ
７：突起
８：窪み
９：切り欠き
１０：ズボン掛け
１１：フック
１２：ズボン掛け部材
【図１】
2005034579.tif 000003
【図２】
2005034579.tif 000004
【図３】
2005034579.tif 000005
【図４】
2005034579.tif 000006
【図５】
2005034579.tif 000007
【図６】
2005034579.tif 000008
【図７】
2005034579.tif 000009
【図８】
2005034579.tif 000010
【図９】
2005034579.tif 000011
【図１０】
2005034579.tif 000012
【図１１】
2005034579.tif 000013
【図１２】
2005034579.tif 000014
【図１３】
2005034579.tif 000015
【図１４】
2005034579.tif 000016
【図１５】
2005034579.tif 000017
【図１６】
2005034579.tif 000018
【図１７】
2005034579.tif 000019
【図１８】
2005034579.tif 000020
【図１９】
2005034579.tif 000021
【図２０】
2005034579.tif 000022
【図２１】
2005034579.tif 000023
【図２２】
2005034579.tif 000024
【図２３】
2005034579.tif 000025
【図２４】
2005034579.tif 000026
【図２５】
2005034579.tif 000027
【図２６】
2005034579.tif 000028
【図２７】
2005034579.tif 000029
【図２８】
2005034579.tif 000030
【図２９】
2005034579.tif 000031